(57)【要約】【課題】収納状態においてサンシェード手段をより確実に隠すことができる日除け装置を提供すること。【解決手段】長尺状のケースと、ロール状に巻かれた状態で前記ケース内に収容され、前記ケース外に展開されることができ、また、巻き戻されて再び前記ケース内に収容されるとその先端が前記ケース外に露出するように構成されているサンシェード手段と、を備えている日除け装置において、前記取り付け状態において前記サンシェード手段が巻き戻されて前記ケース内に収容されると、前記サンシェード手段の前記ケース外に残る先端縁を外から遮蔽することができるカバーを更に備えていることを特徴とする日除け装置。【選択図】図１
0003161043.tif 000002
【実用新案登録請求の範囲】
【請求項１】
窓の一側縁に沿って固定できるように構成された長尺状のケースと、
ロール状に巻かれた状態で前記ケース内に収容されており、且つ、前記ケースが窓の前記一側縁に沿って固定された取り付け状態において前記ケース外に展開されると、前記窓の前記一側縁近くから該一側縁の対辺である他側縁近くまで渡って該窓を遮蔽することができ、また、巻き戻されて再び前記ケース内に収容されるとその先端が前記ケース外に露出するように構成されているサンシェード手段と、を備えている日除け装置において、
前記取り付け状態において前記サンシェード手段が巻き戻されて前記ケース内に収容されると、前記サンシェード手段の前記ケース外に残る先端縁を外から遮蔽することができるカバーを更に備えていることを特徴とする日除け装置。
【請求項２】
前記カバーは、略円弧状断面と、該円弧状断面の両端にある内端縁及び外端縁と、前記内端縁と外端縁との間にある枢接部とを有するように構成され、前記枢接部により、前記ケースに揺動可能に取り付けられていると共に、前記サンシェード手段が前記ケース外から巻き戻されると、前記内端縁が前記サンシェード手段の先端縁近くに押されて前記ケースの内側へ揺動し、また、前記外端縁が、前記内端縁の前記ケースの内側への揺動に応じて揺動することで前記サンシェード手段の先端縁近くを外から遮蔽することができるように枢支されていることを特徴とする請求項１の日除け装置。
【請求項３】
前記カバーには、付勢手段がついており、該付勢手段は、前記取り付け状態において前記サンシェード手段が前記ケース外に展開されると、その付勢力で前記カバーの外端縁を揺動させて前記ケースから離間させることができるように設置されていることを特徴とする請求項２に記載の日除け装置。
【請求項４】
前記ケースは、更に、その長手方向に沿う上、前記サンシェード手段がそれを経由して引き出されることができるように開けられており、且つ、前記取り付け状態において前記窓の前記他側縁の方向に向かうように形成されている隙間を有することを特徴とする請求項３に記載の日除け装置。
【請求項５】
リンケージ機構と前記リンケージ機構を制御する電動作動機構を更に備えており、
該リンケージ機構は、前記取り付け状態において、前記電動作動機構の電動操作により、前記サンシェードを、前記ケースから引き出して展開したり前記ケース内に収束したりすることができるように構成されていることを特徴とする請求項２に記載の日除け装置。
【請求項６】
前記電動作動機構は、前記ケースの長手方向沿いの略中間部分に固定されている駆動部と、前記ケースの長手方向と略一致する方向に沿って、前記駆動部両端からそれぞれ伸び出す一対の制御棒とを有し、該一対の制御棒は、前記駆動部の作動を受けて、前記駆動部から同時に伸び出たり、引込んだりすることができるように構成されており、
前記リンケージ機構は、一対の２連リンクからなり、該一対の２連リンクは、いずれも、第１のリンクと第２のリンクとを有しており、前記第１のリンクは、作動端部と揺動端部である両端部と、前記作動端部と揺動端部との間にあって、前記作動端部の近くに配置された枢接部とを有し、前記作動端部は前記一対の制御棒のいずれかの先端に枢接され、前記枢接部は前記ケースの揺動可能に枢接されており、前記第２のリンクは、一端が前記第１のリンクの前記揺動端部に揺動可能に枢接され、他端が前記サンシェード手段の先端縁に枢支されており、
更に、前記サンシェード手段が前記ケース内に収容される状態において、前記第１のリンク及び第２のリンクは前記ケースの長手方向と略一致するように畳まれて配置されており、前記の電動作動機構の前記一対の制御棒が引込むと、前記第１のリンク及び第２のリンクは、両リンクが一直線となって前記ケースの長手方向と直交する位置に揺動するように構成されていることを特徴とする請求項５に記載の日除け装置。
【考案の詳細な説明】
【技術分野】
【０００１】
本考案は日除け装置に関し、特に、収納状態においてサンシェード手段をより確実に隠すことができる日除け装置に関する。
【背景技術】
【０００２】
従来の自動車用日除け装置、特にバックウィンドウに使われる日除け装置は、バックウィンドウの一側縁に沿って形成された設置溝内に固定された長尺状のケースと、ロール状に巻かれてケース内に収容されているサンシェード手段とを有するように構成されている。該サンシェード手段が使用されるとき、サンシェード手段の前記一側縁の反対側の他側縁近くまで展開される端部が、ケース内に収容される時でもケースの外に露出するので、汚れやすく、また、美観性を損ないやすいため、商品としてまだ改善の余地がまだある。
【考案の概要】
【考案が解決しようとする課題】
【０００３】
上記問題点に鑑みて、本考案は収納状態においてサンシェード手段をより確実に隠すことができる日除け装置の提供を目的とする。
【課題を解決するための手段】
【０００４】
上記目的に達成すべく、本考案は窓の一側縁に沿って固定できるように構成された長尺状のケースと、ロール状に巻かれた状態で前記ケース内に収容されており、且つ、前記ケースが窓の前記一側縁に沿って固定された取り付け状態において前記ケース外に展開されると、前記窓の前記一側縁近くから該一側縁の対辺である他側縁近くまで渡って該窓を遮蔽することができ、また、巻き戻されて再び前記ケース内に収容されるとその先端が前記ケース外に露出するように構成されているサンシェード手段と、を備えている日除け装置において、前記取り付け状態において前記サンシェード手段が巻き戻されて前記ケース内に収容されると、前記サンシェード手段の前記ケース外に残る先端縁を外から遮蔽することができるカバーを更に備えていることを特徴とする日除け装置を提供する。
【０００５】
上記日除け装置において、前記カバーは、略円弧状断面と、該円弧状断面の両端にある内端縁及び外端縁と、前記内端縁と外端縁との間にある枢接部とを有するように構成され、前記枢接部により、前記ケースに揺動可能に取り付けられていると共に、前記サンシェード手段が前記ケース外から巻き戻されると、前記内端縁が前記サンシェード手段の先端縁近くに押されて前記ケースの内側へ揺動し、また、前記外端縁が、前記内端縁の前記ケースの内側への揺動に応じて揺動することで、前記サンシェード手段の先端縁近くを外から遮蔽することができるように枢支されていることが好ましい。
【０００６】
更に、前記カバーには、付勢手段がついており、該付勢手段は、前記取り付け状態において前記サンシェード手段が前記ケース外に展開されると、その付勢力で前記カバーの外端縁を揺動させて前記ケースから離間させることができるように設置されていることが好ましい。
【０００７】
また、前記ケースは、その長手方向に沿う上、前記サンシェード手段がそれを経由して引き出されることができるように開けられており、且つ、前記取り付け状態において前記窓の前記他側縁の方向に向かうように形成されている隙間を有するように形成されていることが好ましい。
【０００８】
更にまた、本考案の日除け装置はリンケージ機構と前記リンケージ機構を制御する電動作動機構を更に備えており、該リンケージ機構は、前記取り付け状態において、前記電動作動機構の電動操作により、前記サンシェードを、前記ケースから引き出して展開したり前記ケース内に収束したりすることができるように構成されていることが好ましい。
【０００９】
前記電動作動機構は、前記ケースの長手方向沿いの略中間部分に固定されている駆動部と、前記ケースの長手方向と略一致する方向に沿って、前記駆動部両端からそれぞれ伸び出す一対の制御棒とを有し、該一対の制御棒は、前記駆動部の作動を受けて、前記駆動部から同時に伸び出たり、引込んだりするように構成され、前記リンケージ機構は、一対の２連リンクからなり、該一対の２連リンクは、いずれも、第１のリンクと第２のリンクとを有しており、前記第１のリンクは、作動端部と揺動端部である両端部と、前記作動端部と揺動端部の間にあって、前記作動端部の近くに配置された枢接部とを有し、前記作動端部は前記一対の制御棒のいずれかの先端に枢接され、前記枢接部は前記ケースの揺動可能に枢接されており、前記第２のリンクは、一端が前記第１のリンクの前記揺動端部に揺動可能に枢接され、他端が前記サンシェード手段の先端縁に枢支されており、更に、前記サンシェード手段が前記ケース内に収容される状態において、前記第１のリンク及び第２のリンクは前記ケースの長手方向と略一致するように畳まれて配置されており、前記の電動作動機構の前記一対の制御棒が引込むと、前記第１のリンク及び第２のリンクは、両リンクが一直線となって前記ケースの長手方向と直交する位置に揺動するように構成されることが好ましい。
【考案の効果】
【００１０】
上記構成により、本考案の日除け装置は、ケース内に収納されているサンシェード手段のケース外に露出している先端を隠すカバーを更に備えているので、従来の日除け装置より美観性が向上する上、埃で汚れることを防ぐこともできる。
【図面の簡単な説明】
【００１１】
【図１】本考案の日除け装置の構成が示されている斜視図である（収納状態）。
【図２】本考案の日除け装置の構成が示されている斜視図である（展開状態）。
【図３】本考案の日除け装置の構成の収納状態の側面図である。
【図４】本考案の日除け装置の構成の展開状態の側面図である。
【図５】カバーとケースの取り付け関係が示されている分解図である。
【図６】図５の一部拡大図である。
【考案を実施するための形態】
【００１２】
以下は図１〜図６を参照しながら、本考案の日除け装置の好ましい実施形態について説明する。
【００１３】
図１及び図２は本考案の日除け装置の構成が示されている斜視図であり、図１ではサンシェード手段（後述）の収容されている状態が示されており、図２ではサンシェード手段の展開されている状態が示されている。また、図３は図１に示されている状態における側面図であり、図４は図２に示されている状態における側面図である。
【００１４】
図１〜図４に示されるように、本考案の日除け装置は、窓、特に自動車のウィンドウの一側縁に沿って固定できるように構成された長尺状のケース３と、ロール状に巻かれてケース３の収容空間３０内に収容されているサンシェード手段４と、ロール状に巻かれて収容されているサンシェード手段４が露出しないように外から遮蔽しているカバー５と、サンシェード手段４の展開を制御するリンケージ機構６と、リンケージ機構６を制御する電動作動機構７とを備えている。
【００１５】
ケース３は、対応する窓や取り付け予定の位置に応じて、取付けやすいように形成され、一般的にはスペースを取らないように長尺状に形成されている。図示のように、ケース３には、ケース３の長手方向に沿う上、サンシェード手段４が引き出される方向に向かうように、隙間３１０が形成されている。また、図３及び図４に示されているように、サンシェード手段は、収束されている状態においても、展開されている状態においても、その先端４２がケース３の隙間３１０外に露出している。先端４２が引っ張られて前者の状態から後者の状態へと展開されると、そのサンシェード体が隙間３１０を経由して引き出されることができるように構成されている。更に、ケース３の収容空間３０内に前記長手方向と平行するように軸支されている自動巻き戻しユニット４１が取り付けられている。
【００１６】
サンシェード手段４は、その一端が固定されている状態で自動巻き戻しユニット４１にロール状に巻かれており、展開する力が解かれると、自動巻き戻しユニット４１における、例えばコイルばねなどの付勢手段により、自動的にケース３の収容空間３０内に巻き戻される。
【００１７】
更に、サンシェード手段４の先端４２には、バー４２１が取り付けられており、このバー４２１は、サンシェード手段４の展開／収束を作動するためのリンケージ機構６と接続している。
【００１８】
カバー５については、図３〜図６を参照して説明する。図５はカバー５とケース３の取り付け関係を示す分解図であり、図６は図５の一部拡大図である。
【００１９】
カバー５は、図中に示されているように、略円弧状断面を有する板状体５１に形成されており、該円弧状断面の両端にある内端縁５１３と外端縁５１２とを有する。また、図５、図６に示されているように、内端縁５１３の近くに、ケース３と枢接する枢接部５１０が形成されており、更に、内端縁５１３には、バー４２１に向かって延伸している突体５１５が付設されている。この実施形態においては、ケース３に枢支するための枢接部５１０とバー４２１を押圧するための突体５１５は、重量軽減のため、なるべく小さく形成されることが好ましい。
【００２０】
枢接部５１０には、板状体５１に付勢力を与えて、外端縁５１２をケース３から離間させるばねユニット５２が配置され、また、内端縁５１３には、外端縁５１２がケース３から離れる限界位置を規定するストッパー５１４が突体５１５の反対側に延伸するように形成されている。ちなみに、ばねユニット５２がカバー５に与える付勢力は、自動巻き戻しユニット４１内蔵のコイルばねより弱くなるように設定する必要がある。
【００２１】
内端縁５１３の突体５１５と外端縁５１２と枢接部５１０との位置は、図３、図４に示されているように、サンシェード手段４がケース３外から巻き戻されて、その先端４２にあるバー４２１が、隙間３１０に臨む位置に戻ると、内端縁５１３の突体５１５はバー４２１に押されてケース３の内側へ揺動し、また、外端縁５１２が前記ケース３の内側への揺動に応じて揺動することで、バー４２１及び隙間３１０を外から見えないように遮蔽することができるように配置されている。
【００２２】
即ち、この構成により、サンシェード手段４の展開と共にバー４２１が隙間３１０から離れて行くと、カバー５はばねユニット５２の付勢力によって、外端縁５１２がケース３から離れるように揺動し、図４に示されているストッパー５１４によって制限される限界位置に到達する。また、図４に示されている状態からサンシェード手段４が巻き戻され、バー４２１が隙間３１０に臨むまで接近すると、突体５１５がバー４２１に押されて、ばねユニット５２の付勢力に対抗してケース３の内側へ揺動するので、外端縁５１２は突体５１５の前記ケース３の内側に向かう揺動に応じて揺動することで、図３に示されるように、バー４２１及び隙間３１０を外から見えないように遮蔽することができる。
【００２３】
電動作動機構７は、ケース３の長手方向沿いの略中間部分に固定されている駆動部７１と、ケース３の長手方向と略一致する方向に沿って、駆動部７１の両端からそれぞれ伸び出している一対の制御棒７２とを有し、該一対の制御棒７２は、前記駆動部の作動を受けて、前記駆動部から同時に伸び出たり、引込んだりすることができるように構成されている。
【００２４】
リンケージ機構６は、一対の２連リンク６１からなり、該一対の２連リンク６１は、いずれも、第１のリンク６１１と第２のリンク６１２とを有しており、第１のリンク６１１は、作動端部６１１Ａと揺動端部６１１Ｂである両端部と、作動端部６１１Ａと揺動端部６１１Ｂの間にあって、作動端部６１１Ａの近くに配置された枢接部６１１Ｃとを有する。作動端部６１１Ａは、それぞれ前記一対の制御棒７２のいずれかの先端に枢接されている。枢接部６１１Ｃは、それぞれケース３に揺動可能に枢接されている。また、第２のリンク６１２は、それぞれ一端が該２連リンク６１における第１のリンク６１１の揺動端部６１１Ｂに揺動可能に枢接され、他端がサンシェード手段４の先端６２に固定されているバー４２１に枢支されている。
【００２５】
更に、リンケージ機構６は、サンシェード手段４がケース３内に収容される状態において、図１に示されるように、第１のリンク６１１及び第２のリンク６１２はケース３の長手方向と略一致するように畳まれて配置されており、電動作動機構７の一対の制御棒７２が引込むと、第１のリンク６１１及び第２のリンク６１２は、図２に示すように、両リンクが一直線となってケース３の長手方向と直交する位置へ揺動するように構成されている。
【産業上の利用可能性】
【００２６】
上記構成により、本考案の日除け装置は、ケース内に収納されているサンシェード手段のケース外に露出している先端を隠すカバーを更に備えているので、より美観性の向上した日除け装置を提供することができる。例えば家庭用の自動カーテンや、自動車用の日除け装置に応用することが出来、特に自動車のバックウィンドウに適用することができる。
【符号の説明】
【００２７】
２１  バー４
３  ケース
３０  収容空間
３１０  隙間
４  サンシェード手段
４１  自動巻き戻しユニット
４２  先端
５  カバー
５１  板状体
５１０  枢接部
５１２  外端縁
５１３  内端縁
５１４  ストッパー
５１５  突体
５２  ばねユニット
６  リンケージ機構
６１  ２連リンク
６１１  第１のリンク
６１１Ａ  作動端部
６１１Ｂ  揺動端部
６１１Ｃ  枢接部
６１２  第２のリンク
７  電動作動機構
７１  駆動部
７２  制御棒
【図１】
0003161043.tif 000003
【図２】
0003161043.tif 000004
【図３】
0003161043.tif 000005
【図４】
0003161043.tif 000006
【図５】
0003161043.tif 000007
【図６】
0003161043.tif 000008
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
窓の一側縁に沿って固定できるように構成された長尺状のケースと、
ロール状に巻かれた状態で前記ケース内に収容されており、且つ、前記ケースが窓の前記一側縁に沿って固定された取り付け状態において前記ケース外に展開されると、前記窓の前記一側縁近くから該一側縁の対辺である他側縁近くまで渡って該窓を遮蔽することができ、また、巻き戻されて再び前記ケース内に収容されるとその先端が前記ケース外に露出するように構成されているサンシェード手段と、を備えている日除け装置において、
前記取り付け状態において前記サンシェード手段が巻き戻されて前記ケース内に収容されると、前記サンシェード手段の前記ケース外に残る先端縁を外から遮蔽することができるカバーを更に備えていることを特徴とする日除け装置。
【請求項２】
前記カバーは、略円弧状断面と、該円弧状断面の両端にある内端縁及び外端縁と、前記内端縁と外端縁との間にある枢接部とを有するように構成され、前記枢接部により、前記ケースに揺動可能に取り付けられていると共に、前記サンシェード手段が前記ケース外から巻き戻されると、前記内端縁が前記サンシェード手段の先端縁近くに押されて前記ケースの内側へ揺動し、また、前記外端縁が、前記内端縁の前記ケースの内側への揺動に応じて揺動することで前記サンシェード手段の先端縁近くを外から遮蔽することができるように枢支されていることを特徴とする請求項１の日除け装置。
【請求項３】
前記カバーには、付勢手段がついており、該付勢手段は、前記取り付け状態において前記サンシェード手段が前記ケース外に展開されると、その付勢力で前記カバーの外端縁を揺動させて前記ケースから離間させることができるように設置されていることを特徴とする請求項２に記載の日除け装置。
【請求項４】
前記ケースは、更に、その長手方向に沿う上、前記サンシェード手段がそれを経由して引き出されることができるように開けられており、且つ、前記取り付け状態において前記窓の前記他側縁の方向に向かうように形成されている隙間を有することを特徴とする請求項３に記載の日除け装置。
【請求項５】
リンケージ機構と前記リンケージ機構を制御する電動作動機構を更に備えており、
該リンケージ機構は、前記取り付け状態において、前記電動作動機構の電動操作により、前記サンシェード手段を、前記ケースから引き出して展開したり前記ケース内に収束したりすることができるように構成されていることを特徴とする請求項２に記載の日除け装置。
【請求項６】
前記電動作動機構は、前記ケースの長手方向沿いの略中間部分に固定されている駆動部と、前記ケースの長手方向と略一致する方向に沿って、前記駆動部両端からそれぞれ伸び出す一対の制御棒とを有し、該一対の制御棒は、前記駆動部の作動を受けて、前記駆動部から同時に伸び出たり、引込んだりすることができるように構成されており、
前記リンケージ機構は、一対の２連リンクからなり、該一対の２連リンクは、いずれも、第１のリンクと第２のリンクとを有しており、前記第１のリンクは、作動端部と揺動端部である両端部と、前記作動端部と揺動端部との間にあって、前記作動端部の近くに配置された枢接部とを有し、前記作動端部は前記一対の制御棒のいずれかの先端に枢接され、前記枢接部は前記ケースの揺動可能に枢接されており、前記第２のリンクは、一端が前記第１のリンクの前記揺動端部に揺動可能に枢接され、他端が前記サンシェード手段の先端縁に枢支されており、
更に、前記サンシェード手段が前記ケース内に収容される状態において、前記第１のリンク及び第２のリンクは前記ケースの長手方向と略一致するように畳まれて配置されており、前記の電動作動機構の前記一対の制御棒が引込むと、前記第１のリンク及び第２のリンクは、両リンクが一直線となって前記ケースの長手方向と直交する位置に揺動するように構成されていることを特徴とする請求項５に記載の日除け装置。
【手続補正２】
【補正対象書類名】明細書
【補正対象項目名】０００８
【補正方法】変更
【補正の内容】
【０００８】
更にまた、本考案の日除け装置はリンケージ機構と前記リンケージ機構を制御する電動作動機構を更に備えており、該リンケージ機構は、前記取り付け状態において、前記電動作動機構の電動操作により、前記サンシェード手段を、前記ケースから引き出して展開したり前記ケース内に収束したりすることができるように構成されていることが好ましい。